(57)【要約】【課題】温度の上昇やガスが発生しても膨らまない包装材を提供する【解決手段】物品を挟んで重なる２枚のシート材が前記物品の周りで接合されている物品収容部を有し、前記物品収容部は、前記物品を囲む周方向において、前記２枚のシート材が接合されていない非接合部により外部空間と連通している。【選択図】図１
2019116298.tif 000002
【特許請求の範囲】
【請求項１】
物品を挟んで重なる２枚のシート材が前記物品の周りで接合されている物品収容部を有し、
前記物品収容部は、前記物品を囲む周方向において、前記２枚のシート材が接合されていない非接合部により外部空間と連通していることを特徴とする包装材。
【請求項２】
折り返されて重なるシート材の間に挟まれた物品の周りで前記シート材の重なる部位が接合されている物品収容部を有し、
前記物品収容部は、前記物品を囲む周方向において、前記シート材の重なる部位が接合されていない非接合部により外部空間と連通していることを特徴とする包装材。
【請求項３】
請求項１または請求項２に記載の包装材であって、
前記非接合部により形成される開口は、前記物品よりも小さいことを特徴とする包装材。
【発明の詳細な説明】
【技術分野】
【０００１】
この発明は物品が収容される包装材に関する。
【背景技術】
【０００２】
物品が収容される包装材としては、物品が収容されて密封されている袋状の包装材が知られている。例えば、合成樹脂製のシート材が２つに折り畳まれ、外周部を加熱溶着して電池等の物品を包む袋が形成され、物品が収容された後に封止されている。
【発明の概要】
【発明が解決しようとする課題】
【０００３】
上述したような包装材は、電池のように、保管時にガスを放出する可能性がある物品が収容されている場合には、発生したガスにより、包装材が膨らんだり裂けたりする虞があるという課題がある。
【０００４】
本発明は、かかる課題に鑑みてなされたものであり、その目的とするところは、内部で温度が上昇したりガスが発生したりしても膨らまない包装材を提供することにある。
【課題を解決するための手段】
【０００５】
かかる目的を達成するために本発明の包装材は、
物品を挟んで重なる２枚のシート材が前記物品の周りで接合されている物品収容部を有し、
前記物品収容部は、前記物品を囲む周方向において、前記２枚のシート材が接合されていない非接合部により外部空間と連通していることを特徴とする包装材である。
【０００６】
また、折り返されて重なるシート材の間に挟まれた物品の周りで前記重なるシート材が接合されている物品収容部を有し、
前記物品収容部は、前記物品を囲む周方向において、前記２枚のシート材が接合されていない非接合部により外部空間と連通していることを特徴とする包装材である。
【０００７】
かかる包装材であって、
前記非接合部により形成される開口は、前記物品よりも小さいことを特徴とする。
【発明の効果】
【０００８】
本発明によれば、内部で温度が上昇したりガスが発生したりしても膨らまない包装材を提供することが可能である。
【図面の簡単な説明】
【０００９】
【図１】本発明の実施形態に係る包装材を示す図である。
【図２】本発明の実施形態に係る包装材を用いたボタン型電池の包装方法を示す図である。
【図３】本発明の実施形態に係る包装材を用いたボタン型電池の包装方法の変形例を示す図である。
【図４】本発明の実施形態に係る包装材の変形例を示す図である。
【発明を実施するための形態】
【００１０】
本発明の一実施例について、以下に添付図面を参照しつつ説明する。
図１、図２に示すように、本実施形態の包装材１は、重ねられた合成樹脂製のシート材２の間に、物品としてのボタン型電池３が収容される物品収容部１ａを備えている。
【００１１】
より具体的には、包装材１は長方形状をなしており、長手方向における一方側に、吊り下げられて陳列される際にフック等に引っ掛けられる引掛孔１ｂが設けられており、長手方向における他方側に矩形状の物品収容部１ａが設けられている。以下の説明においては、包装材１の長手方向において、引掛孔１ｂが設けられている端側を一方側、反対側を他方側として説明する。
【００１２】
包装材１は、長手方向における物品収容部１ａより一方側となり、引掛孔１ｂが設けられている側の領域Ａ１の全域が溶着接合されており、短手方向における両端部となる領域Ａ２は、各々端部に沿って全域が溶着接合されている。また、長手方向における他方側の端部は、当該端部に沿う領域Ａ３の一部に溶着接合されていない非接合部１ｃが設けられている。
【００１３】
すなわち、物品収容部１ａは、重ねられた合成樹脂製の透明なシート材２が溶着されて接合されている部位に、一部非接合部１ｃを除いて囲まれるように設けられている。このため、物品収容部１ａは、非接合部１ｃにより形成された連通孔１ｄにより外部空間Ｓと連通している。尚、図１〜図４においては、理解を容易にするため、溶着されて接合されている部位に模様を付している。
【００１４】
非接合部１ｃの短手方向の幅Ｗは、収容されるボタン型電池３の直径Ｄより十分小さく形成されているので、引掛孔１ｂがフック等に引っ掛けられたとしてもボタン型電池３が連通孔１ｄから落下することはない。
【００１５】
本実施形態の包装材１は、ボタン型電池３を内部に包装するときに製造される。このため、包装材１の製造方法を、ボタン型電池３を包装材１により包装する包装方法とともに説明する。
【００１６】
本実施形態のボタン型電池３を包装材１により包装する包装方法は、まず、長方形状をなす２枚の合成樹脂製のシート材２を、重ね合わせて配置する。このとき、２枚のシート材２の、長手方向における一方の端部側に、引掛孔１ｂを同一の位置に開けておく。
【００１７】
次に、重ねられている２枚のシート材２における、引掛孔１ｂが設けられている、長手方向の一方側と、短手方向の両端部を加熱して溶着する。この溶着により、２枚のシート材２は、長手方向における他方の端側が開口１ｅとなり袋状をなす未封止包装材１０が形成される。このとき袋状をなす未封止包装材１０内が、物品が収容される物品収容部１ａをなしている。
次に、未封止包装材１０の物品収容部１ａにボタン型電池３を収容する（物品収容ステップ）。
【００１８】
次に、ボタン型電池３が収容された未封止包装材１０の開口１ｅを、その一部に２枚のシート材２が溶着されない非接合部１ｃを残して溶着する（閉止ステップ）。このとき、未封止包装材１０の長手方向における他方の端側に設けられた開口１ｅのうち、非接合部１ｃを除く部位が閉止される。この状態で、本実施形態の包装材１は、ボタン型電池３を挟んで重なる２枚のシート材２がボタン型電池３の周りで接合されている物品収容部１ａを有しており、物品収容部１ａは、ボタン型電池３を囲む周方向において、２枚のシート材２が接合されていない非接合部１ｃにより外部空間Ｓと連通している。
【００１９】
本実施形態の包装材１によれば、ボタン型電池３が収容される物品収容部１ａが、当該物品収容部１ａを囲む周方向において、２枚のシート材２が接合されていない非接合部１ｃにより外部空間Ｓと連通しているので、物品収容部１ａ内の空気が加熱されて膨張しても包装材１は膨らまない。
【００２０】
また、製造時において物品収容部１ａの周りを溶着する際であっても、物品収容部１ａが密封されていないので、溶着時に加熱されて空気が膨張したり、圧迫されて内圧が大きくなったりしたとしても、非接合部１ｃから空気は外部空間Ｓに排出される。このため、膨張した空気により溶着代が狭められることはないので、十分な接合強度を備えて物品収容部１ａが形成された包装材１を提供することが可能である。
【００２１】
また、収容される物品が、本実施形態のように電池などのガスを発生する可能性がある物品の場合には、物品収容部が外部空間Ｓと連通していない包装材により長期保管または長期陳列した場合には、ガスにより包装材が膨らんだり裂けたりする虞がある。このため、本実施形態の包装材１のように物品収容部１ａが外部空間Ｓと連通している包装材１であれば、包装材１が膨らむことも裂けることも防止することが可能である。
【００２２】
また、物品収容部１ａと外部空間Ｓとの連通孔１ｄは、物品の収容時において、２枚のシート材２の非接合部１ｃ、すなわち、２枚のシート材２が接合されない部位を設けるだけなので、製造時に別工程で孔等を開ける必要がない。このため、より容易にかつ安価に、温度の上昇やガスが発生しても膨らまない包装材１を形成すること、及び、温度の上昇やガスが発生しても膨らまない包装材１にボタン型電池３を収容することが可能である。
【００２３】
上記実施形態においては、包装材を２枚のシート材２から製造する例について説明したが、これに限らず、例えば、図３に示すように、折り返すように重ねた１枚のシート材５から形成しても良い。
【００２４】
この場合には、まず、合成樹脂製のシート材５を、２つに折り返して重ね合わせて配置する。
【００２５】
次に、重ね合わせたシート材５の長手方向における両端部と、短手方向における折り曲げられている端部を加熱して溶着する。このとき、長手方向における両端部の一方は、後に形成する陳列用の引掛孔５ａを設けるため、溶着する部位の長手方向の幅を広く設けておく。
【００２６】
また、長手方向における両端部の他方は、シート材５の重なる部位５ｂが溶着されない非接合部５ｃを残して溶着する。この溶着により、シート材５は短手方向の折り曲げられていない端側が開口５ｄとなり袋状をなす未封止包装材５０が形成される。このとき袋状をなす未封止包装材５０内が、物品が収容される物品収容部５ｅをなしている。
【００２７】
次に、長手方向における一方側の溶着されている部位に、引掛孔５ａを形成する。
次に、未封止包装材５０の物品収容部５ｅにボタン型電池３を収容する。
【００２８】
次に、ボタン型電池３が収容された未封止包装材５０の開口５ｄを溶着する。この状態で包装材６は、折り返されて重なるシート材５の間に挟まれたボタン型電池３の周りでシート材５の重なる部位５ｂが接合されている物品収容部５ｅを有しており、物品収容部５ｅは、ボタン型電池３を囲む周方向において、シート材５の重なる部位５ｂが接合されていない非接合部５ｃにより外部空間Ｓと連通している。
【００２９】
この場合には、１枚のシート材から、温度の上昇やガスが発生しても膨らまない包装材６を形成すること、及び、温度の上昇やガスが発生しても膨らまない包装材６にボタン型電池３を収容することが可能である。
【００３０】
上記実施形態においては、非接合部１ｃ、５ｃを、包装材１、５の長手方向における他方の端側に１箇所設けた例について説明したが、これに限らず、短手方向の端部など何れの端側であっても、また、複数設けても、ガスの発生等で裂けることなく、また、幼児などが簡単に開けることができない接合強度が確保できれば構わない。
【００３１】
上記実施形態においては、２枚のシート材２、または、重ねられたシート材５を溶着して接合する例について説明したが、これに限らず、例えば、接着して接合しても構わない。
【００３２】
上記実施形態においては、包装材１、６が１つの物品収容部１ａ、５ｅを備えている例について説明したが、これに限るものではない。例えば、図４に示すように、物品収容部７ａが２つ連ねられている、或いは３つ以上連ねられた包装材８であっても構わない。この場合には、図４に示すように、隣接する物品収容部７ａが連通孔７ｂにより連通すると共に、一方の物品収容部７ａが外部空間Ｓと連通孔７ｂにより連通している、或いは、各々物品収容部７ａが外部空間と連通していても構わない。
【００３３】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００３４】
１  包装材、１ａ  物品収容部、１ｂ  引掛孔、１ｃ  非接合部、１ｄ  連通孔、
１ｅ  開口、２  シート材、３  ボタン型電池、５  シート材、５ａ  引掛孔、
５ｂ  重なる部位、５ｃ  非接合部、５ｄ  開口、５ｅ  物品収容部、
６  包装材、７ａ  物品収容部、８  包装材、１０  未封止包装材、
５０  未封止包装材、
Ａ１  引掛孔が設けられている側の領域、Ａ２  短手方向における端部となる領域、
Ａ３  長手方向における他方側の端部に沿う領域、Ｄ  ボタン型電池の直径、
Ｓ  外部空間、Ｗ  非接合部の短手方向の幅
【図１】
2019116298.tif 000003
【図２】
2019116298.tif 000004
【図３】
2019116298.tif 000005
【図４】
2019116298.tif 000006